【事件の表示】
　特願２０１３−　１３４８７「画像表示システム」拒絶査定不服審判事件〔平成２５年１２月１９日出願公開、特開２０１３−２５３９６１〕について、次のとおり審決する。
【結　論】
　本件審判の請求は、成り立たない。
【理　由】
第１　手続の経緯
　本願は、平成２５年１月２８日（優先権主張　平成２４年５月７日）の出願であって、平成２６年８月５日に上申書が提出されるととともに、特許請求の範囲について補正する手続補正書が提出され、平成２８年６月３日付けで拒絶理由が通知され、平成２８年７月２１日に意見書が提出されるとともに、特許請求の範囲について補正する手続補正書が提出されたが、平成２８年９月５日付けで拒絶査定がされ、これに対して平成２８年１２月６日に拒絶査定不服審判が請求され、その審判の請求と同時に特許請求の範囲について補正する手続補正書が提出され、その後、平成２９年２月１６日に上申書が提出されたものである。
第２　平成２８年１２月６日の手続補正についての補正却下の決定 
［補正却下の決定の結論］ 
 
　平成２８年１２月６日の手続補正を却下する。 
 
［理由］
 
［１］補正の内容
 
　平成２８年１２月６日の手続補正（以下、「本件補正」という。）は、特許請求の範囲に関して、本件補正により補正される前の（すなわち、平成２８年７月２１日に提出された手続補正書により補正された）下記の（ａ）に示す請求項１ないし１１を下記の（ｂ）に示す請求項１ないし１０と補正するものである。
 
（ａ）本件補正前の特許請求の範囲の請求項１ないし１１ 
 
　「【請求項１】
　画像を記憶する記憶手段（６１）を有するサーバ（６）と、前記サーバ（６）から取得した複数の画像を表示する表示手段（１１、２１）を有する移動端末（２、３）と、を含む画像表示システムであって、
　前記移動端末は、
　ユーザが希望する種類の画像を位置の指定によらず絞り込む絞り込み条件を入力する操作、および前記表示手段に表示される複数の画像のいずれかを選択する操作を可能とする操作入力手段（１２、２２）と、
　前記操作入力手段により選択された画像に関する位置を目的地として設定する制御手段（１０、２０）と、を備え、
　前記記憶手段（６１）は、画像内容の位置、当該画像内容の提供者の位置、および当該画像を撮影した撮影位置の少なくともいずれか１つを特定可能な付加情報が対応付けられている画像と、前記付加情報が対応付けられていない画像とを記憶しており、
　前記サーバは、
　前記移動端末から取得した前記絞り込み条件に基づいて、前記付加情報が対応付けられている画像と前記付加情報が対応付けられていない画像とから複数の画像を抽出する抽出手段（６２）を備えることを特徴とする画像表示システム。
　　【請求項２】
　前記記憶手段は、画像内容のカテゴリ、画像に対して設定されるキーワード、画像内容の名称、画像を提供したユーザ識別名、画像に対して設定されるタイトル、画像が撮像された撮像日時、および画像が登録された登録日時のうち少なくとも１つを前記画像に対応付けて記憶しており、
　前記操作入力手段は、前記絞り込み条件として、前記カテゴリ、前記キーワード、前記名称、前記ユーザ識別名、前記タイトル、画像が撮像された撮像日時、および画像が登録された登録日時のうち少なくともいずれか１つ入力可能とすることを特徴とする請求項１記載の画像表示システム。
　　【請求項３】
　前記サーバは、第１サーバ（６１）と第２サーバ（６２）とから構成され、
　前記制御手段は、前記絞り込み条件に応じて、前記第１サーバから画像を取得、または前記第２サーバから画像を取得することを特徴とする請求項１または２記載の画像表示システム。
　　【請求項４】
　前記表示手段は、取得した複数の画像を、２以上の画像を同時に表示する一覧形式、および／または、１の画像を順次切り替えて表示するスライドショー形式にて表示するとともに、前記付加情報が対応付けられている画像と前記付加情報が対応付けられていない画像とを識別可能に表示することを特徴とする請求項１から３のいずれか一項記載の画像表示システム。
　　【請求項５】
　前記制御手段は、前記画像を取得するとき、前記付加情報が対応付けられている画像については前記付加情報も取得し、取得した前記付加情報に基づいて、当該画像に関する位置を特定することを特徴とする請求項１から４のいずれか一項記載の画像表示システム。
　　【請求項６】
　前記移動端末は、現在位置を取得する現在位置取得手段（１４、２５）をさらに備え、
　前記操作入力手段は、前記絞り込み条件として、前記現在位置取得手段で取得した前記現在位置からの距離、または前記現在位置から到着までに予想される時間を設定可能であり、
　前記抽出手段は、前記付加情報に基づいて画像に関する位置を特定し、前記絞り込み条件に基づいて画像を抽出することを特徴とする請求項５記載の画像表示システム。
　　【請求項７】
　前記制御手段は、前記目的地までの経路を案内するナビゲーション機能の実行、または外部から提供される当該ナビゲーション機能の利用が可能であり、
　前記操作入力手段は、前記絞り込み条件として、前記目的地または当該目的地までの経路を基準とした所定範囲内を設定可能であり、
　前記抽出手段は、前記付加情報に基づいて画像に関する位置を特定し、前記絞り込み条件に基づいて画像を抽出することを特徴とする請求項５記載の画像表示システム。
　　【請求項８】
　前記移動端末（２）は、車両用の装置として使用される車両用移動端末であり、
　車両の走行状態を特定可能な車両情報を取得する車両情報取得手段を（１７）さらに備え、
　前記制御手段は、前記車両情報に基づいて車両が走行中であると判定すると、前記操作入力手段からの入力、および／または、前記表示手段による表示の少なくとも一部を規制することを特徴とする請求項１から７のいずれか一項記載の画像表示システム。
　　【請求項９】
　前記移動端末（２）は、車両用の装置として使用される車両用移動端末であり、
　前記制御手段は、携帯通信端末（３）と連携して作動するアプリケーションを実行し、当該携帯通信端末を介して前記サーバから画像を取得することを特徴とする請求項１から８のいずれか一項記載の画像表示システム。
　　【請求項１０】
　前記操作入力手段は、前記表示手段に表示される画像を前記付加情報に基づいて並べ替える並べ替え条件を入力する操作がさらに可能であり、
　前記移動端末は、前記操作入力手段から入力された前記並べ替え条件に基づいて、前記表示手段に表示する画像を並べ替えて表示することを特徴とする請求項１から９のいずれか一項記載の画像表示システム。
　　【請求項１１】
　前記操作入力手段は、前記表示手段に表示される画像を前記付加情報に基づいて並べ替える並べ替え条件を入力する操作がさらに可能であり、
　前記移動端末は、前記操作入力手段から入力された前記並べ替え条件を前記サーバに送信し、
　前記サーバは、前記絞り込み条件に基づいて抽出した画像を、受信した前記並べ替え条件に基づいて予め並べ替えた状態で前記移動端末に送信することを特徴とする請求項１から１０のいずれか一項記載の画像表示システム。」
 
（ｂ）本件補正後の特許請求の範囲の請求項１ないし１０
 
　「【請求項１】
　画像を記憶する記憶手段（６１）を有するサーバ（６）と、前記サーバ（６）から取得した複数の画像を表示する表示手段（１１、２１）を有する移動端末（２、３）と、を含む画像表示システムであって、
　前記移動端末は、
　ユーザが希望する種類の画像を位置の指定によらず絞り込む絞り込み条件を入力する操作、および前記表示手段に表示される複数の画像のいずれかを選択する操作を可能とする操作入力手段（１２、２２）と、
　前記操作入力手段により選択された画像に関する位置を目的地として設定する制御手段（１０、２０）と、を備え、
　前記記憶手段（６１）は、画像内容の位置、当該画像内容の提供者の位置、および当該画像を撮影した撮影位置の少なくともいずれか１つを特定可能な付加情報が対応付けられている画像と、前記付加情報が対応付けられていない画像とを記憶しており、
　前記サーバは、
　
第１サーバ（６ａ）と第２サーバ（６ｂ）とから構成され、
　前記移動端末から取得した前記絞り込み条件に基づいて、前記付加情報が対応付けられている画像と前記付加情報が対応付けられていない画像とから複数の画像を抽出する抽出手段（６２）を備え
、
　
前記制御手段は、前記絞り込み条件に応じて、前記第１サーバから画像を取得、または前記第２サーバから画像を取得する
　　【請求項２】
　前記記憶手段は、画像内容のカテゴリ、画像に対して設定されるキーワード、画像内容の名称、画像を提供したユーザ識別名、画像に対して設定されるタイトル、画像が撮像された撮像日時、および画像が登録された登録日時のうち少なくとも１つを前記画像に対応付けて記憶しており、
　前記操作入力手段は、前記絞り込み条件として、前記カテゴリ、前記キーワード、前記名称、前記ユーザ識別名、前記タイトル、画像が撮像された撮像日時、および画像が登録された登録日時のうち少なくともいずれか１つ入力可能とすることを特徴とする請求項１記載の画像表示システム。
　　【請求項３】
　
前記表示手段は、取得した複数の画像を、２以上の画像を同時に表示する一覧形式、および／または、１の画像を順次切り替えて表示するスライドショー形式にて表示するとともに、前記付加情報が対応付けられている画像と前記付加情報が対応付けられていない画像とを識別可能に表示することを特徴とする請求項１または２記載の画像表示システム。
　　【請求項４】
　
前記制御手段は、前記画像を取得するとき、前記付加情報が対応付けられている画像については前記付加情報も取得し、取得した前記付加情報に基づいて、当該画像に関する位置を特定することを特徴とする請求項１から３のいずれか一項記載の画像表示システム。
　　【請求項５】
　
前記移動端末は、現在位置を取得する現在位置取得手段（１４、２５）をさらに備え、
　
前記操作入力手段は、前記絞り込み条件として、前記現在位置取得手段で取得した前記現在位置からの距離、または前記現在位置から到着までに予想される時間を設定可能であり、
　
前記抽出手段は、前記付加情報に基づいて画像に関する位置を特定し、前記絞り込み条件に基づいて画像を抽出することを特徴とする請求項４記載の画像表示システム。
　　【請求項６】
　
前記制御手段は、前記目的地までの経路を案内するナビゲーション機能の実行、または外部から提供される当該ナビゲーション機能の利用が可能であり、
　
前記操作入力手段は、前記絞り込み条件として、前記目的地または当該目的地までの経路を基準とした所定範囲内を設定可能であり、
　
前記抽出手段は、前記付加情報に基づいて画像に関する位置を特定し、前記絞り込み条件に基づいて画像を抽出することを特徴とする請求項４記載の画像表示システム。
　　【請求項７】
　
前記移動端末（２）は、車両用の装置として使用される車両用移動端末であり、
　
車両の走行状態を特定可能な車両情報を取得する車両情報取得手段を（１７）さらに備え、
　
前記制御手段は、前記車両情報に基づいて車両が走行中であると判定すると、前記操作入力手段からの入力、および／または、前記表示手段による表示の少なくとも一部を規制することを特徴とする請求項１から６のいずれか一項記載の画像表示システム。
　　【請求項８】
　
前記移動端末（２）は、車両用の装置として使用される車両用移動端末であり、
　
前記制御手段は、携帯通信端末（３）と連携して作動するアプリケーションを実行し、当該携帯通信端末を介して前記サーバから画像を取得することを特徴とする請求項１から７のいずれか一項記載の画像表示システム。
　　【請求項９】
　
前記操作入力手段は、前記表示手段に表示される画像を前記付加情報に基づいて並べ替える並べ替え条件を入力する操作がさらに可能であり、
　
前記移動端末は、前記操作入力手段から入力された前記並べ替え条件に基づいて、前記表示手段に表示する画像を並べ替えて表示することを特徴とする請求項１から８のいずれか一項記載の画像表示システム。
　　【請求項１０】
　
前記操作入力手段は、前記表示手段に表示される画像を前記付加情報に基づいて並べ替える並べ替え条件を入力する操作がさらに可能であり、
　
前記移動端末は、前記操作入力手段から入力された前記並べ替え条件を前記サーバに送信し、
　
前記サーバは、前記絞り込み条件に基づいて抽出した画像を、受信した前記並べ替え条件に基づいて予め並べ替えた状態で前記移動端末に送信することを特徴とする請求項１から９のいずれか一項記載の画像表示システム。
（なお、下線は補正箇所を示すために請求人が付したものである。） 
 
［２］本件補正の目的
 
　本件補正は、特許請求の範囲の請求項１に関しては、本件補正前の特許請求の範囲の請求項１における発明特定事項である「サ−バ」について、「
第１サーバ（６ａ）と第２サーバ（６ｂ）とから構成され
前記絞り込み条件に応じて、前記第１サーバから画像を取得、または前記第２サーバから画像を取得する
　そして、本件補正は、本件補正前の特許請求の範囲の請求項１に係る発明の発明特定事項を限定したものを含んでいるから、本件補正は、特許法第１７条の２第５項第２号に掲げる特許請求の範囲の減縮を目的とするものに該当する。
 
　そこで、本件補正後の請求項１に記載される発明（以下、「本願補正発明」という。）が特許出願の際に独立して特許を受けることができるものであるか否かについて、以下に検討する。 
 
［３］独立特許要件の判断 
１．刊行物
 
（１）刊行物１
ア　刊行物１の記載事項
 
　原査定の拒絶の理由に引用された、本願の優先日前に頒布された刊行物である特表２００２−５３０６５８号公報（以下、「刊行物１」という。）には、図面とともに、次の事項が記載されている。 
 
ａ）「【０００２】
　発明の利点
　
請求項１の特徴部分に記載された特徴的構成を有する本発明の入力のための装置は、これに対して視覚的な出力を介して、多数のあり得る走行目的地に対して１つずつ画像がユーザに示されるという利点を有する。これによってユーザは、あり得る走行目的地についてより良好な情報が得られる。さらにユーザは走行目的地の名前または所在地を知る必要がない。ユーザが視覚的な外観を知っていれば十分である。
ｂ）「【００１２】
　実施例の説明
　図１には走行目的地をナビゲーション装置に入力するための本発明の装置が示されている。入力装置１は操作パネル２を有しており、これはプッシュキー３および／または回転つまみ４を有している。この装置には視覚的表示器５が取り付けられている。装置１はナビゲーション装置６に接続されている。ナビゲーション装置６はデータ担体７に対するドライブと、送受信ユニット８とを有している。送受信ユニット８とサービスセンタ９との間には少なくとも一時的に無線コネクション１０が存在する。
      【００１３】
　
自動車のユーザが運転を開始し、走行目的地をナビゲーション装置６に入力しようとする場合、ユーザは、操作パネル２を介して、およびそれに取り付けられたプッシュキー３および／または回転つまみ４を介して操作メニューを視覚的表示器５に呼び出す。
ユーザは操作パネル２を介して判定基準を入力することができ、この判定基準にしたがって、あり得る走行目的地を視覚的表示器５に表示する。
ユーザが分類のうちの１つを選択すると、このユーザに別の選択肢が提示されてサーチがさらに細分化されるか、またはこのユーザに走行目的地が直接、画像情報として表示される。ユーザは操作パネル２を介して個別の画像間で移動することができ、同様に操作パネル２を介して走行目的地に対する選択を行うことができる。
さらに画像を、送受信ユニット８により無線コネクション１０を介してサービスセンタ９から、すなわち自動車外部の記憶ユニットから呼び出すことができ、ナビゲーション装置６を介して入力のための装置に導くことができる。
      【００１４】
　走行目的地についての情報は、入力のための装置からナビゲーション装置に導かれる。このナビゲーション装置は、図示しない走行ルート計算ユニットと、図示しない自動車センサと、自動車の位置検出を可能にするＧＰＳ受信機とを有している。検出した目下の自動車位置は、走行目的地の選択の前にすでに入力のための装置１に導かれており、これによって目下の自動車位置から所定の距離に位置する、
あり得る走行目的地を表示することができる。あり得る走行目的地はデジタル地図における位置と結びつけられており、ここでこれらのデジタル地図は有利にはナビゲーション装置６に、データ担体ドライブ７のデータ担体を介して供給される。
ｃ）「【００１９】
　詳しい説明のために選択された第１画像６１では、塔を有する教会が示されている。例えば塔の形からドライバは、写真で知っているか、またはすでに一度訪れたことのある教会を再認識して走行目的地として選択することができる。それはこの塔がこの教会、すなわち走行目的地の再認識可能な個別の特徴であるからである。このためにこのドライバは、教会の名前も、正確な通りも知る必要がない。有利な実施例ではこのために写真としての第１画像６１を、データの形態でナビゲーション装置６に配属された記憶ユニット、例えば、ナビゲーション装置６に配属されたドライブのデータ担体７に格納されている。この写真は例えばデジタルカメラによって撮影することが可能である。データの形態の画像は例えばピクセルベースのグラフィック形式でデータ担体に格納することができる。ピクセルベースのグラフィック形式の１例は、例えばいわゆるビットマップである。さらに例えばつぎのデータ形式すなわちＧＩＦ（Compuserve Graphics Interchange Format），ＴＩＦＦ（Tagged Image File Format），ＰＣＸ（Paintbruch），ＪＰＥＧまたはＭＰＧも可能である。さらにベクトルベースによる表現、例えばＨＰＧＬ（HP Graphics Library）も可能である。」（段落【００１９】）
イ　上記ア及び図面（図１ないし図５）の記載より分かること 
 
ａ）上記アｂ）の特に段落【００１３】の記載によると、サービスセンタ９は、画像を記憶する記憶ユニットを有し、ナビゲーション装置６から取得した判定基準に基づいて、複数の画像を呼び出す呼び出し手段を備えることが分かる。
ｂ）上記アａ）及びｂ）の記載によると、プッシュキー３および／または回転つまみ４は、ユーザが選択する分類の画像を所在地を知る必要なく出力する判定基準を入力する操作を可能とするものであることが分かる。
ウ　刊行物１に記載された発明
 
　したがって、上記ア及びイを総合すると、刊行物１には、「ナビゲーション装置に走行目的地を入力するための装置」に関して、次の発明（以下、「刊行物１に記載された発明」という。）が記載されていると認められる。
 
＜刊行物１に記載された発明＞ 
 
　「画像を記憶する記憶ユニットを有するサービスセンタ９と、前記サービスセンタ９から呼び出した複数の画像を表示する視覚的表示器５を有するナビゲーション装置６と、を含むナビゲーション装置に走行目的地を入力するための装置であって、
　前記ナビゲーション装置６は、
　ユーザが選択する分類の画像を所在地を知る必要なく出力する判定基準を入力する操作、および前記視覚的表示器５に表示される複数の画像のいずれかを選択する操作を可能とするプッシュキー３および／または回転つまみ４と、
　前記プッシュキー３および／または回転つまみ４により選択された画像に関する位置を目的地として設定する入力装置１と、を備え、
　前記記憶ユニットは、走行目的地とデジタル地図における位置とを結びつけて記憶しており、
　前記サービスセンタ９は、
　前記ナビゲーション装置６から取得した前記判定基準に基づいて、複数の画像を呼び出す呼び出し手段を備え、
　前記入力装置１は、前記判断基準に応じて、前記サービスセンタ９から画像を取得するものであるナビゲーション装置に走行目的地を入力するための装置。」
（２）刊行物２
ア　刊行物２の記載事項
　原査定の拒絶の理由に引用された、本願の優先日前に頒布された刊行物である特開２００８−２４９４２８号公報（以下、「刊行物２」という。）には、図面とともに、次の事項が記載されている。
ａ）「【０００２】
　従来、車載用等で普及の著しいナビゲーション装置（単に「ナビ」とも呼ぶ）は、予め用意した地図データをもとに、ＧＰＳなどで得る自車位置を地図表示したり、指定した目的地への経路を探索しそれに沿って画面や音声で進路を案内するものであるが、近年は、ナビゲーション装置自体の多機能化や、デジタルカメラや携帯電話など撮影機能を持つ電子機器の一般化に伴い、フラッシュメモリ記録媒体などで持ち込む画像に位置座標を対応付け、画面表示したり、ナビの登録地点として地点登録に用いる需要が生じている。
【０００３】
　この場合、撮影した画像に対応付ける位置座標としては、ナビゲーション装置やカメラなどのＧＰＳ機能により、撮影時点において場所を特定しておき、画像とともに記録するか（例えば特許文献１参照）、または、撮影場所の記憶を頼りに地図スクロールなどで設定する必要があった。」（段落【０００２】及び【０００３】）
ｂ）「【００２７】
　この画像の登録画面２２では、取り込んだ画像２３と、登録位置候補を表示する地図画面２５が表示される。この際、画像データに付加されているＥｘｉｆ情報のＧＰＳタグ情報から座標を参照し、画像が撮影された場所マーク２７を表示するが、このＧＰＳタグ情報が付加されていない場合はマーク２７表示は行わなくてもよい。」（段落【００２７】）
イ　刊行物２記載技術
　したがって、上記アを総合すると、刊行物２には次の技術（以下、「刊行物２記載技術」という。）が記載されていると認められる。
＜刊行物２記載技術＞
「ナビゲーション装置において、ＧＰＳタグ情報が付加された画像データと、ＧＰＳタグ情報が付加されていない画像データとを備えている技術。」
２．対比・判断
 
　刊行物１に記載された発明における「記憶ユニット」は、その機能、構成及び技術的意義からみて、本願補正発明における「記憶手段（６１）」に相当し、以下同様に、「サービスセンタ９」は「サーバ（６）」に、「呼び出した」は「取得した」に、「視覚的表示器５」は「表示手段（１１、２１）」に、「ナビゲーション装置６」は「移動端末（２、３）」に、「ナビゲーション装置に走行目的地を入力するための装置」は「画像表示システム」に、「選択する分類」は「希望する種類」に、「所在地を知る必要なく出力する」は「位置の指定によらず絞り込む」に、「判定基準」は「絞り込み条件」に、「プッシュキー３および／または回転つまみ４」は「操作入力手段（１２、２２）」に、「入力装置」は「制御手段（１０、２０）」に、「呼び出す」は「抽出する」に、「呼び出し手段」は「抽出手段」にそれぞれ相当する。 
　また、刊行物１に記載された発明における「前記記憶ユニットは、走行目的地とデジタル地図における位置とを結びつけて記憶しており」と本願補正発明における「前記記憶手段（６１）は、画像内容の位置、当該画像内容の提供者の位置、および当該画像を撮影した撮影位置の少なくともいずれか１つを特定可能な付加情報が対応付けられている画像と、前記付加情報が対応付けられていない画像とを記憶しており」とは、「記憶手段は、付加情報が対応付けられている画像を記憶しており」という限りにおいて一致する。
　さらに、刊行物１に記載された発明における「前記入力装置１は、前記判断基準に応じて、前記サービスセンタ９から画像を取得する」と、本願補正発明における「前記制御手段は、前記絞り込み条件に応じて、前記第１サーバから画像を取得、または前記第２サーバから画像を取得する」とは、「前記制御手段は、前記絞り込み条件に応じて、サーバから画像を取得する」という限りにおいて一致する。。
　してみると、本願補正発明と刊行物１に記載された発明とは、
「画像を記憶する記憶手段を有するサーバと、前記サーバから取得した複数の画像を表示する表示手段を有する移動端末と、を含む画像表示システムであって、
　前記移動端末は、
　ユーザが希望する種類の画像を位置の指定によらず絞り込む絞り込み条件を入力する操作、および前記表示手段に表示される複数の画像のいずれかを選択する操作を可能とする操作入力手段と、
　前記操作入力手段により選択された画像に関する位置を目的地として設定する制御手段と、を備え、
　前記記憶手段は、付加情報が対応付けられている画像を記憶しており、
　前記制御手段は、前記絞り込み条件に応じて、サーバから画像を取得する画像表示システム。」
の点で一致し、次の点で相違する。
 
＜相違点１＞
　
　本願補正発明においては、「記憶手段は、付加情報が対応付けられている画像を記憶しており」に関して、「前記記憶手段（６１）は、画像内容の位置、当該画像内容の提供者の位置、および当該画像を撮影した撮影位置の少なくともいずれか１つを特定可能な付加情報が対応付けられている画像と、前記付加情報が対応付けられていない画像とを記憶しており」、「前記サーバは、前記移動端末から取得した前記絞り込み条件に基づいて、前記付加情報が対応付けられている画像と前記付加情報が対応付けられていない画像とから複数の画像を抽出する抽出手段（６２）を備え」るのに対し、
　刊行物１に記載された発明においては、「記憶手段は、付加情報が対応付けられている画像を記憶しており」に関して、「前記記憶ユニットは、走行目的地とデジタル地図における位置とを結びつけて記憶しており」、ナビゲーション装置６から取得した判定基準に基づいて、複数の画像を呼び出す呼び出し手段を備えているが、かかる呼び出し手段は、付加情報が対応付けられている画像と付加情報が対応付けられていない画像とから複数の画像を呼び出すものとはされていない点（以下、「相違点１」という。）。
＜相違点２＞
　本願補正発明においては、「前記サーバは、第１サーバ（６ａ）と第２サーバ（６ｂ）とから構成され」ており、「前記制御手段は、前記絞り込み条件に応じて、前記第１サーバから画像を取得、または前記第２サーバから画像を取得する」のに対し、
　刊行物１に記載された発明においては、サービスセンタ９が、第１サーバと第２サーバとから構成されておらず、前記入力装置１は、前記判断基準に応じて、前記サービスセンタ９から画像を取得するものであるが、判断基準に応じて、第１サーバから画像を取得、または第２サーバから画像を取得するものとはされていない点（以下、「相違点２」という。）。
　上記各相違点について検討する。
＜相違点１＞について
　刊行物１には、記憶ユニットが、走行目的地とデジタル地図における位置とを結びつけて記憶している旨の明記はあるが、位置に関する付加情報が対応付けられている画像と、位置に関する付加情報が対応付けられていない画像とを記憶しているか否か不明である。
　しかしながら、刊行物２に、ナビゲーション装置において、ＧＰＳタグ情報が付加された画像データと、ＧＰＳタグ情報が付加されていない画像データとを備えている技術が記載されているように、ＧＰＳ機能のないデジタルカメラ等で取得した画像データであれば、ＧＰＳタグ情報は付加されないことは明らかであり、刊行物１に記載された発明において、サービスセンタ９の記憶ユニットにそのような付加情報が付加されていない画像が含まれるようにし、ナビゲーション装置６から取得した判定基準に基づいて、付加情報が付加された画像と付加されていない画像とが含まれた記憶ユニットから複数の画像を呼び出すものとすることは、当業者が適宜なし得ることである。
　なお、ナビゲーション装置や移動端末に情報を提供するサーバにおいて、画像データと位置データとを対応付けて記憶することは、例えば、特開２０１１−６５４７０号公報（特に段落【００６５】）、国際公開第２０１０／０９５４２６号（特に段落【００１８】及び【００１９】）及び特開２００８−２１７１３３号公報（特に段落【００３０】）に記載されるように周知でもある。
＜相違点２＞について
　情報サーバにおいて、画像データを複数のサーバに分類して記憶することは、例えば、特開平１１−５３３７８号公報（特に段落【００１４】）及び特開２００５−１６５４９９号公報（特に段落【００４３】）に記載されるように周知（以下、「周知技術１」という。）である。
　また、移動端末から得られた検索条件に応じて複数の情報サーバから情報を取得することは、例えば、上記した特開平１１−５３３７８号公報（特に段落【００２９】ないし【００３２】）や、特開２００９−１９２４４８号公報（特に段落【００２５】ないし【００２７】）及び国際公開第２０１１／０１６１１７号（特に段落【０１０４】、【０１０５】、【０１０８】及び【０１１０】）に記載されるように周知（以下、「周知技術２」という。）である。。
　そして、刊行物１に記載された発明のサービスセンタ９において、周知技術１のように、画像を複数のサーバに分類して記憶し、周知技術２のように、判定基準に応じて複数の情報サーバから画像を取得するようにすることも、当業者にとって格別の困難性があるものとはいえない。
　以上からすると、刊行物１に記載された発明において、周知技術１及び２を適用して、相違点２に係る本願補正発明の発明特定事項とすることは、当業者であれば、容易に想到し得たことである。
　そして、本願補正発明は、全体としてみても、刊行物１に記載された発明、刊行物２記載技術並びに周知技術１及び２から予測される以上の格別な効果を奏するものではない。
 
　したがって、本願補正発明は、刊行物１に記載された発明、刊行物２記載技術並びに周知技術１及び２に基いて当業者が容易に発明をすることができたものであるから、特許法第２９条第２項の規定により、特許出願の際独立して特許を受けることができないものである。
 
３．むすび 
 
　以上のとおり、本件補正は、特許法第１７条の２第６項において準用する同法第１２６条第７項の規定に違反するので、同法第１５９条第１項において読み替えて準用する同法第５３条第１項の規定により却下すべきものである。
 
　よって、［補正却下の決定の結論］のとおり決定する。 
 
第３　本願発明について 
 
１．本願発明 
 
　平成２８年１２月６日の手続補正は上記のとおり却下されたので、本願の特許請求の範囲の請求項１ないし１１に係る発明は、平成２８年７月２１日に提出された手続補正書により補正された特許請求の範囲並びに出願当初の明細書及び図面の記載からみて、その特許請求の範囲の請求項１ないし１１に記載された事項により特定されるとおりのものと認められ、そのうち、請求項１に係る発明（以下、「本願発明」という。）は、上記第２［理由］［１］（ａ）に示した請求項１に記載されたとおりのものである。
　
２．刊行物
 
　原査定の拒絶の理由に引用された、刊行物１及び２には、上記第２［理由］［３］１．（１）及び（２）のとおりのものが記載されている。
 
３．対比・判断 
 
　本願発明は、上記第２［理由］［２］で検討した本願補正発明の発明特定事項のうち、「
第１サーバ（６ａ）と第２サーバ（６ｂ）とから構成され
前記絞り込み条件に応じて、前記第１サーバから画像を取得、または前記第２サーバから画像を取得する
　そうすると、本願発明の発明特定事項を全て含む本願補正発明が、上記第２［理由］［３］に記載したとおり、刊行物１に記載された発明、刊行物２記載技術並びに周知技術１及び２に基いて当業者が容易に発明をすることができたものであるから、本願発明も、実質的に同様の理由により、刊行物１に記載された発明及び刊行物２記載技術に基いて当業者が容易に発明をすることができたものである。 
 
　そして、本願発明は、全体としてみても、刊行物１に記載された発明及び刊行物２記載技術から予測される以上の格別な効果を奏するものではない。
 
４．まとめ
　以上のとおり、本願発明は、刊行物１に記載された発明及び刊行物２記載技術に基いて、当業者が容易に発明をすることができたものであるから、特許法第２９条第２項の規定により特許を受けることができない。
 
第４　むすび
　上記第３のとおり、本願発明は、特許法第２９条第２項の規定により特許を受けることができないので、本願の他の請求項に係る発明について検討するまでもなく、本願は拒絶すべきものである。
　
　よって、結論のとおり審決する。